(57)【特許請求の範囲】
【請求項１】
ユーザ機器（ＵＥ）によるワイヤレス通信のための方法であって、
第１のハイブリッド自動再送要求ＨＡＲＱプロセスに属している少なくとも１つのサブフレーム内のデータを前記ＵＥが送信すべきであることを示すシグナリングを受信することと、
前記第１のＨＡＲＱプロセスに属していない少なくとも１つのサブフレーム内の前記データも前記ＵＥが送信すべきであることを示すシグナリングを受信することと、
前記第１のＨＡＲＱプロセスに属している前記少なくとも１つのサブフレーム内の、および前記第１のＨＡＲＱプロセスに属していない前記少なくとも１つのサブフレーム内のデータを送信することと、
前記第１のＨＡＲＱプロセスに属していない少なくとも１つのサブフレーム内の前記データを前記ＵＥが再送すべきであることを示すシグナリングを受信することと、
前記第１のＨＡＲＱプロセスに属していない前記少なくとも１つのサブフレームにおいて前記データを再送することと
を備える、方法。
【請求項２】
前記第１のＨＡＲＱプロセスに属していない前記少なくとも１つのサブフレームは、少なくとも第２のＨＡＲＱプロセスに属している、請求項１に記載の方法。
【請求項３】
前記第１のＨＡＲＱプロセスに属している前記少なくとも１つのサブフレームにおいて前記データを再送すること
をさらに備える、請求項１に記載の方法。
【請求項４】
前記データを送信することは、セミパーシステントスケジューリング（ＳＰＳ）によってトリガされ、
前記シグナリングには、前記第１のＨＡＲＱプロセスを用いた送信がトリガされるとき、前記少なくとも１つのサブフレームにおいて前記データを自動的に再送するように前記ＵＥを構成するＳＰＳ構成が提供される、請求項１に記載の方法。
【請求項５】
前記シグナリングは、前記少なくとも１つのサブフレームの指示を提供する、請求項１に記載の方法。
【請求項６】
前記第１および第２のＨＡＲＱプロセスの両方ではなく１つに関してＨＡＲＱ再送を行うこと
をさらに備える、請求項２に記載の方法。
【請求項７】
基地局（ＢＳ）によるワイヤレス通信のための方法であって、
第１のハイブリッド自動再送要求ＨＡＲＱプロセスに属している少なくとも１つのサブフレーム内のデータをＵＥが送信すべきであることを示すシグナリングを送信することと、
前記第１のＨＡＲＱプロセスに属していない少なくとも１つのサブフレーム内の前記データを前記ＵＥが送信すべきであることを示すシグナリングを送信することと、
ここにおいて、前記シグナリングは、ダウンリンク制御情報（ＤＣＩ）を介して提供され、
前記第１のＨＡＲＱプロセスに属している前記少なくとも１つのサブフレーム内の、および前記第１のＨＡＲＱプロセスに属していない前記少なくとも１つのサブフレーム内のデータを受信することと、
前記第１のＨＡＲＱプロセスに属していない少なくとも１つのサブフレーム内の前記データを前記ＵＥが再送すべきであることを示すシグナリングを送信することと、
前記第１のＨＡＲＱプロセスに属していない前記少なくとも１つのサブフレームにおいて前記データを受信することと
を備える、方法。
【請求項８】
前記第１のＨＡＲＱプロセスに属していない前記少なくとも１つのサブフレームは、少なくとも第２のＨＡＲＱプロセスに属している、請求項７に記載の方法。
【請求項９】
前記シグナリングは、ダウンリンク制御情報（ＤＣＩ）を介して提供される、請求項１に記載の方法。
【請求項１０】
前記ＤＣＩにおける情報は、前記ＵＥの再送モードがイネーブルにされていないとき、第１の意味を有し、
前記ＤＣＩにおける情報は、前記ＵＥの前記再送モードがイネーブルにされているとき、第２の意味を有する、
請求項９に記載の方法。
【請求項１１】
前記データを受信することは、セミパーシステントスケジューリング（ＳＰＳ）によってトリガされ、ここにおいて、前記シグナリングには、前記第１のＨＡＲＱプロセスを用いた送信がトリガされるとき、前記少なくとも１つのサブフレームにおいて前記データを自動的に再送するように前記ＵＥを構成するＳＰＳ構成が提供される、
請求項７に記載の方法。
【請求項１２】
前記シグナリングは、前記少なくとも１つのサブフレームの指示を提供する、請求項７に記載の方法。
【請求項１３】
前記第１および第２のＨＡＲＱプロセスの両方ではなく１つに関して前記ＵＥからのＨＡＲＱ再送を受信すること
をさらに備える、請求項８に記載の方法。
【請求項１４】
請求項１に記載の方法を行うための手段を備えるユーザ機器（ＵＥ）によるワイヤレス通信のための装置。
【請求項１５】
請求項７に記載の方法を行うための手段を備える基地局（ＢＳ）によるワイヤレス通信のための装置。
【発明の詳細な説明】
【関連出願の相互参照】
【０００１】
[0001]  本願は、２０１３年１０月３日に出願された米国仮特許出願第６１／８８６，４８５号および２０１４年１０月２日に出願された米国特許出願第１４／５０５，１７６号の利益を主張し、これら両方は全内容が参照により本明細書に組み込まれている。
【技術分野】
【０００２】
[0002]  本開示の特定の態様は、概してワイヤレス通信に関し、より具体的には、アップリンクチャネルのカバレッジ強化のための技法に関する。
【背景技術】
【０００３】
[0003]  ワイヤレス通信システムは、音声、データなどのような様々なタイプの通信コンテンツを提供するために広く展開されている。これらのシステムは、利用可能なシステムリソース（例えば、帯域幅および送信電力など）を共有することによって複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標））−Ａｄｖａｎｃｅｄシステムを含む第３世代パートナーシッププロジェクト（３ＧＰＰ（登録商標））ＬＴＥ、および直交周波数分割多元接続（ＯＦＤＭＡ）システムを含む。
【０００４】
[0004]  概して、ワイヤレス多元接続通信システムは、複数のワイヤレス端末のための通信を同時にサポートし得る。各端末は、順方向および逆方向リンク上の送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレスデバイスは、ユーザ機器（以下、「ＵＥ」）および遠隔デバイスを備える。ＵＥは、人物による直接の制御の下で動作するデバイスである。ＵＥのいくつかの例は、セルラフォン、スマートフォン、携帯情報端末（ＰＤＡ）、ワイヤレスモデム、ハンドヘルドデバイス、ラップトップコンピュータ、ネットブックなどを含む。遠隔デバイスは、人物によって直接制御されることなく動作するデバイスである。遠隔デバイスのいくつかの例は、センサ、メーター、ロケーションタグなどを含む。遠隔デバイスは、基地局、別の遠隔デバイス、またはいくつかの他のエンティティと通信し得る。マシン型通信（ＭＴＣ）は、通信の少なくとも一端に少なくとも１つの遠隔デバイスを含む通信を指す。
【発明の概要】
【０００６】
[0006]  本開示の特定の態様は、例えば、ＵＥによって行われ得るワイヤレス通信のための方法を提供する。方法は、概して、第１のハイブリッド自動再送要求（以下、「ＨＡＲＱ」）プロセスに関連付けられたデータを送信することと、第１のＨＡＲＱプロセスに属していない少なくとも１つのサブフレーム内のデータをＵＥが再送すべきであることを示すシグナリングを受信することと、少なくとも１つのサブフレームにおいてデータを再送することと、を含む。
【０００７】
[0007]  本開示の特定の態様は、例えば、基地局（以下、「ＢＳ」）によって行われ得るワイヤレス通信のための方法を提供する。方法は、概して、第１のＨＡＲＱプロセスにおけるデータを送信するためにＵＥをスケジューリングすることと、第１のＨＡＲＱプロセスに属していない少なくとも１つのサブフレーム内のデータを再送するためにＵＥをシグナリングすることと、を含む。
【０００８】
[0008]  装置、システム、コンピュータプログラム製品、および上述された方法についての処理を行うことができる処理システムを含む多数の他の態様が提供される。
【図面の簡単な説明】
【０００９】
[0009]  上述された本開示の特徴を詳細に理解できるように、上記では簡潔に概要を述べたより詳細な説明が、態様を参照して行われることができ、その態様のいくつかは、添付の図面に示されている。しかしながら、添付した図面は、本開示の特定の典型的な態様のみを例示しており、従って、その説明が他の同等に効果的な態様を認め得るように、その範囲を限定するものとして考えられるべきではないことに留意されたい。
【図１】[0010]  図１は、本開示の特定の態様に従った、例となるワイヤレス通信ネットワークを概念的に図示するブロック図である。
【図２】[0011]  図２は、本開示の特定の態様に従った、ワイヤレス通信ネットワーク内のＵＥと通信状態にある発展型ノードＢ（ｅＮＢ）の例を概念的に図示するブロック図である。
【図３】[0012]  図３は、本開示の特定の態様に従った、ワイヤレス通信ネットワークで用いる特定の無線アクセス技術（ＲＡＴ）のための例となるフレーム構造を概念的に図示するブロック図である。
【図４】[0013]  図４は、本開示の特定の態様に従った、ノーマルサイクリックプレフィックスを用いた、ダウンリンクのための例となるサブフレームフォーマットを図示する。
【図５】[0014]  図５は、本開示の特定の態様に従った、例えばＵＥによって行われ得るワイヤレス通信のための、例となる動作を図示する。
【図６】[0015]  図６は、本開示の特定の態様に従った、例えばＢＳによって行われ得るワイヤレス通信のための、例となる動作を図示する。
【図７】[0016]  図７は、本開示の特定の態様に従った、オポチュニスティックな（opportunistic）反復されたＨＡＲＱ送信の例となるタイムラインを図示する。
【図８】図８は、本開示の特定の態様に従った、オポチュニスティックな反復されたＨＡＲＱ送信の例となるタイムラインを図示する。
【図９】図９は、本開示の特定の態様に従った、オポチュニスティックな反復されたＨＡＲＱ送信の例となるタイムラインを図示する。
【図１０】図１０は、本開示の特定の態様に従った、オポチュニスティックな反復されたＨＡＲＱ送信の例となるタイムラインを図示する。
【図１１】[0017]  図１１は、他のデータ送信に割り当てられ得る使用されていないサブフレームを示す、ＴＤＤにおけるオポチュニスティックなデータ反復に用いられ得る、例となるサブフレームを図示する。
【発明の詳細な説明】
【００１０】
[0018]  本開示の態様は、特定のユーザ機器（例えば、低コスト、低データレートのＵＥ）についてアップリンクチャネルのカバレッジを強化するための技法および装置を提供する。
【００１１】
[0019]  いくつかのシステムについて、特定のタイプのＵＥは、他のタイプのＵＥと比較して、制限されたカバレッジを有し得る。例えば、いくつかのタイプの低コストのＵＥは、単一の受信または送信チェーンしか有しておらず、それにより制限付きのＤＬおよび／またはＵＬカバレッジのみである一方、他のタイプのＵＥは、多数の受信および／または送信チェーンから利益を得る。例えば、いくつかのＵＥは、ユーザが遠隔ロケーションまたは地下のようなロケーションにいるとき、ＶＯＩＰ（ボイスオーバーＩＰ）モードで動作し得る。別の例として、いくつかのＵＥは、高周波数で動作し得る。
【００１２】
[0020]  本明細書で提示される技法は、そのようなＵＥに対するカバレッジを強化するのに役立ち得る。
【００１３】
[0021]  本明細書で説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００などのような無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他のバリエーションを含む。ＣＤＭＡ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２. １１（Ｗｉ−Ｆｉ（登録商標））、ＩＥＥＥ ８０２. １６（ＷｉＭＡＸ（登録商標））、ＩＥＥＥ ８０２. ２０、フラッシュＯＦＤＭ（登録商標）などのような無線技術を実装し得る。ＵＴＲＡおよびＥ−ＵＴＲＡは、ユニバーサルモバイルテレコミュニケーションシステム（ＵＭＴＳ）の一部である。周波数分割複信（ＦＤＤ）および時分割複信（ＴＤＤ）の両方における３ＧＰＰロングタームエボリューション（ＬＴＥ）およびＬＴＥ−アドバンスト（ＬＴＥ−Ａ）は、ダウンリンクではＯＦＤＭＡを、アップリンクではＳＣ−ＦＤＭＡを適用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた団体からの文書で説明されている。ｃｄｍａ２０００およびＵＭＢは、「第３世代パートナーシッププロジェクト２」（３ＧＰＰ２）名付けられた団体からの文書で説明されている。本明細書で説明される技術は、上述されたワイヤレスネットワークおよび無線技法、並びに、他のワイヤレスネットワークおよび無線技法に対して使用され得る。明確化のために、これら技法の特定の態様は、ＬＴＥ／ＬＴＥ−Ａについて下記で説明されており、ＬＴＥ／ＬＴＥ−Ａの専門用語が下記説明の大部分で使用される。
【００１４】
［例となるワイヤレス通信システム］
[0022]  図１は、ＬＴＥネットワークまたは何らかの他のワイヤレスネットワークであり得るワイヤレス通信ネットワーク１００を示す。ワイヤレスネットワーク１００は、多数の発展型ノードＢ（ｅＮＢ）１１０および他のネットワークエンティティを含み得る。ｅＮＢは、ＵＥと通信するエンティティであり、基地局、ノードＢ、アクセスポイント（ＡＰ）などとも呼ばれ得る。各ｅＮＢは、特定の地理的エリアについての通信カバレッジを提供し得る。３ＧＰＰにおいて、「セル」という用語は、この用語が使用される文脈に依存して、ｅＮＢのカバレッジエリア、および／またはそのカバレッジエリアにサービスするｅＮＢサブシステムを指し得る。
【００１５】
[0023]  ｅＮＢは、マクロセル、ピコセル、フェムトセル、および／または、他のタイプのセルに対して通信カバレッジを提供し得る。マクロセルは、比較的大きな地理的エリア（例えば、半径数キロ）をカバーし、サービスに加入しているＵＥによる無制限アクセスを可能にし得る。ピコセルは、比較的小さい地理的エリアをカバーし、サービスに加入しているＵＥによる無制限のアクセスを可能にし得る。フェムトセルは、比較的小さい地理的エリア（例えば、家庭）をカバーし、このフェムトセルと関連性のあるＵＥ（例えば、クローズド加入者グループ（ＣＳＧ）におけるＵＥ）による制限されたアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり、ｅＮＢ １１０ｂは、ピコセル１０２ｂのためのピコｅＮＢであり、ｅＮＢ １１０ｃは、フェムトセル１０２ｃのためのフェムトｅＮＢであり得る。ｅＮＢは、１つまたは複数の（例えば、３つの）セルをサポートし得る。「ｅＮＢ」、「基地局」、および「セル」という用語は、本明細書では置換え可能に使用され得る。
【００１６】
[0024]  ワイヤレスネットワーク１００はまた、中継局を含み得る。中継局は、アップストリーム局（例えば、ｅＮＢまたはＵＥ）からのデータの送信を受信し、ダウンストリーム局（例えば、ＵＥまたはｅＮＢ）へのデータの送信を送ることができるエンティティである。中継局はまた、他のＵＥのための送信を中継することができるＵＥであり得る。図１に示される例にでは、中継局１１０ｄは、ｅＮＢ １１０ａとＵＥ１２０ｄとの間の通信を容易にするために、マクロｅＮＢ１１０ａおよびＵＥ１２０ｄと通信し得る。中継局は、中継ｅＮＢ、中継基地局、リレーなどとも呼ばれ得る。
【００１７】
[0025]  ワイヤレスネットワーク１００は、異なるタイプのｅＮＢ、例えば、マクロｅＮＢ、ピコｅＮＢ、フェムトｅＮＢ、中継ｅＮＢなどを含む異種ネットワークであり得る。これらの異なるタイプのｅノードＢは、ワイヤレスネットワーク１００において、異なる送信電力レベル、異なるカバレッジ領域、および干渉に対する異なる影響を有し得る。例えば、マクロｅＮＢが、高い送信電力レベル（例えば、５〜４０Ｗ）を有し得るのに対し、ピコｅＮＢ、フェムトｅＮＢ、および中継ｅＮＢは、より低い送信電力レベル（例えば、０．１〜２Ｗ）を有し得る。
【００１８】
[0020]  ネットワークコントローラ１３０は、ｅＮＢのセットに結合し、これらｅＮＢに対して協調と制御を提供し得る。ネットワークコントローラ１３０は、バックホールを介してｅＮＢと通信し得る。ｅＮＢはまた、例えば直接的に、あるいはワイヤレスまたはワイヤラインバックホールを介して間接的に互いに通信し得る。
【００１９】
[0027]  ＵＥ １２０（例えば、１２０ａ、１２０ｂ、１２０ｃなど）は、ワイヤレスネットワーク１００にわたって分散し、各ＵＥは、固定式または移動式であり得る。ＵＥは、アクセス端末、端末、モバイル局（ＭＳ）、加入者ユニット、局（ＳＴＡ）などとも呼ばれ得る。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。
【００２０】
[0028]  図２は、基地局／ｅＮＢ １１０およびＵＥ １２０の設計のブロック図であり、これらは図１における基地局／ｅＮＢのうちの１つおよびＵＥのうちの１つであり得る。基地局／ｅＮＢ １１０には、Ｔ本のアンテナ２３４ａ〜２３４ｔが装備され得、ＵＥ １２０にはＲ本のアンテナ２５２ａ〜２５２ｒが装備され得、ここで、一般に、Ｔ≧１およびＲ≧１である。
【００２１】
[0029]  基地局１１０では、送信プロセッサ２２０は、１つまたは複数のＵＥのためにデータソース２１２からデータを受信し、ＵＥから受信されたチャネル品質インジケータ（ＣＱＩ）に基づいて各ＵＥに対して１つまたは複数の変調およびコーディングスキーム（ＭＣＳ）を選択し、ＵＥごとにそのＵＥに対して選択されたＭＣＳに基づいてデータを処理（例えば、符号化および変調）し、すべてのＵＥに対してデータシンボルを提供し得る。送信プロセッサ２２０はまた、システム情報（例えば、準静的リソース分割情報（ＳＲＰＩ）など）および制御情報（例えば、ＣＱＩ要求、許可、上位層シグナリングなどのための）を処理し、オーバーヘッドシンボルおよび制御シンボルを提供し得る。プロセッサ２２０はまた、基準信号（例えば、共通基準信号（ＣＲＳ））および同期信号（例えば、一次同期信号（ＰＳＳ）および二次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボル上で空間処理（例えば、プリコーディング）を実行し、Ｔ個の変調器（ＭＯＤ）２３２ａ〜２３２ｔにＴ個の出力シンボルストリームを提供し得る。各変調器２３２は、出力サンプルストリームを取得するために、それぞれの出力シンボルストリーム（例えば、ＯＦＤＭなどのための）を処理し得る。各変調器２３２は、ダウンリンク信号を取得するために、この出力サンプルストリームをさらに処理（例えば、アナログ変換、増幅、フィルタリング、およびアップコンバート）し得る。変調器２３２ａ〜２３２ｔからのＴ個のダウンリンク信号は、Ｔ個のアンテナ２３４ａ〜２３４ｔを介してそれぞれ送信され得る。
【００２２】
[0030]  ＵＥ１２０では、アンテナ２５２ａ〜２５２ｒは、基地局１１０および／または他の基地局からダウンリンク信号を受信し、それぞれ復調器（ＤＥＭＯＤ）２５４ａ〜２５４ｒに受信された信号を提供し得る。各復調器２５４は、入力サンプルを取得するために、その受信された信号を調整（例えば、フィルタリング、増幅、ダウンコンバート、およびデジタル化）し得る。各復調器２５４は、受信されたシンボルを取得するために、（例えば、ＯＦＤＭなどのための）入力サンプルをさらに処理し得る。ＭＩＭＯ検出器２５６は、Ｒ個すべての復調器２５４ａ〜２５４ｒから受信されたシンボルを取得し、適用可能であれば、受信されたシンボルに対してＭＩＭＯ検出を実行し、検出されたシンボルを提供し得る。受信プロセッサ２５８は、検出されたシンボルを処理（例えば、復調、および復号）し、ＵＥ １２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００２３】
[0031]  アップリンクにおいて、ＵＥ１２０では、送信プロセッサ２６４は、データソース２６２からデータを、制御装置／プロセッサ２８０から制御情報（例えば、ＲＳＲＰ、ＲＳＳＩ、ＲＳＲＱ、ＣＱＩなどを含む報告のための）を受信し処理し得る。プロセッサ２６４はまた、１つまたは複数の基準信号のための基準シンボルを生成し得る。送信プロセッサ２６４からのシンボルは、適用可能であれば、ＴＸ ＭＩＭＯプロセッサ２６６によってプリコードされ、変調器２５４ａ〜２５４ｒ（例えば、ＳＣ−ＦＤＭ、ＯＦＤＭなどのための）によってさらに処理され、基地局１１０に送信され得る。基地局１１０では、ＵＥ １２０からのアップリンク信号および他のＵＥは、アンテナ２３４によって受信され、復調器２３２によって処理され、適用可能な場合にはＭＩＭＯ検出器２３６によって検出され、ＵＥ １２０によって送られる復号されたデータおよび制御情報を得るために、受信プロセッサ２３８によってさらに処理され得る。プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００２４】
[0032]  コントローラ／プロセッサ２４０および２８０は、基地局１１０およびＵＥ １２０のそれぞれにおける動作を指示し得る。プロセッサ２４０、および／または他のプロセッサおよび基地局１１０におけるモジュール、および／またはプロセッサ２８０、および／または他のプロセッサおよびＵＥ１２０におけるモジュールは、本明細書で説明された技法についての処理を行うか、または指示し得る。メモリ２４２および２８２はそれぞれ、基地局１１０およびＵＥ  １２０のためのデータおよびプログラムコードを記憶し得る。スケジューラ２４６は、ダウンリンクおよび／またはアップリンクでのデータ送信のためにＵＥをスケジューリングし得る。
【００２５】
[0033]  ＵＥ １２０にデータを送信するとき、基地局１１０は、データ割り当てサイズに少なくとも部分的に基づいてバンドリングサイズ（bundling size）を決定し、決定されたバンドリングサイズのバンドリングされた連続リソースブロック内のデータをプリコーディングするように構成され、各バンドル（bundle）内のリソースブロックは、共通プリコーディング行列でプリコーディングされ得る。すなわち、リソースブロック内のデータおよび／またはＵＥ−ＲＳのような基準信号（ＲＳ）は、同じプリコーダを使用してプリコーディングされ得る。バンドリングされた各リソースブロック（ＲＢ）内のＵＥ−ＲＳに対して使用される電力レベルも同じであり得る。
【００２６】
[0034]  ＵＥ１２０は、基地局１１０から送信されたデータを復号するために相補処理（complementary processing）を行うように構成され得る。例えば、ＵＥ １２０は、連続したＲＢの複数のバンドルにおいて基地局から送信された受信データのデータ割り当てサイズに基づいてバンドリングサイズを決定し、各バンドル内のリソースブロックにおける少なくとも１つの基準信号は、共通プリコーディング行列でプリコーディングされ、少なくとも１つのプリコーディングされたチャネルを、決定されたバンドリングサイズと、基地局から送信された１つまたは複数のＲＳとに基づいて推定し、この推定されたプリコードディングされたチャネルを使用して、受信された複数のバンドルを復号するように構成され得る。
【００２７】
[0035]  図３は、ＬＴＥにおけるＦＤＤのための例示的なフレーム構造３００を示す。ダウンリンクおよびアップリンクの各々についての送信タイムラインは、無線フレームの単位に分割され得る。各無線フレームは、所定の持続時間（例えば、１０ミリ秒（ｍｓ））を有し得、０〜９のインデックスを有する１０個のサブフレームに分割され得る。各サブフレームは、２つのスロットを含み得る。よって、各無線フレームは、０〜１９のインデックスを有する２０個のスロットを含み得る。各スロットは、Ｌ個のシンボル期間を含み、例えば、（図２において示されるように）ノーマルサイクリックプレフィックスについては７個のシンボル期間を、または拡張されたサイクリックプレフィックスについては６個のシンボル期間を含み得る。各サブフレームにおける２Ｌ個のシンボル期間は、０〜２Ｌ−１のインデックスを割り振られ得る。
【００２８】
[0036]  ＬＴＥにおいて、ｅＮＢは、ｅＮＢによってサポートされるセルごとのシステム帯域幅の中心１．０８ＭＨｚのダウンリンク上で一次同期信号（ＰＳＳ）および二次同期信号（ＳＳＳ）を送信し得る。ＰＳＳおよびＳＳＳは、図３において示されるように、ノーマルサイクリックプレフィックスを用いた各無線フレームのサブフレーム０および５の各々において、それぞれシンボル期間６および５で送られ得る。ＰＳＳおよびＳＳＳは、セルの探索および捕捉のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームの特定のシンボル期間で送信され得、チャネル推定、チャネル品質測定、および／または他の機能を実行するためにＵＥによって使用され得る。ｅＮＢはまた、特定の無線フレームのスロット１におけるシンボル期間０〜３において物理ブロードキャストチャネル（ＰＢＣＨ）を送信し得る。ＰＢＣＨは、いくつかのシステム情報を搬送し得る。ｅＮＢは、特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの第１のＢ個のシンボル期間における物理ダウンリンク制御チャネル（ＰＤＣＣＨ）で制御情報／データを送信し得、ここで、Ｂ個は各サブフレームに関して構成可能であり得る。ｅＮＢは、各サブフレームの残りのシンボル期間にＰＤＳＣＨ上でトラフィックデータおよび／または他のデータを送信し得る。
【００２９】
[0037]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題された、３ＧＰＰ ＴＳ ３６．２１１で説明されており、これは公に入手可能である。
【００３０】
[0038]  図４は、ノーマルサイクリックプレフィックスを有する、ダウンリンクのための２つの例となるサブフレームフォーマット４１０および４２０を示す。ダウンリンクのための利用可能な時間周波数リソースは、リソースブロックに分割され得る。各リソースブロックは、１つのスロット中の１２個のサブキャリアをカバーし、多くのリソースエレメントを含み得る。各リソースエレメントは、１つのシンボル期間において１つのサブキャリアをカバーし、実数または複素数であり得る、１つの変調シンボルを送るために使用され得る。
【００３１】
[0039]  サブフレームフォーマット４１０は、２つのアンテナを備えたｅＮＢに対して使用され得る。ＣＲＳは、シンボル期間０、４、７、および１１においてアンテナ０および１から送信され得る。基準信号は、送信機および受信機によってアプリオリに知られている信号であり、パイロットとも呼ばれ得る。ＣＲＳは、例えば、セル識別（ＩＤ）に基づいて生成されたセルに特有である基準信号である。図４では、ラベルＲａを有する所与のリソースエレメントに関して、そのリソースエレメント上でアンテナａから変調シンボルが送信され得、そのリソースエレメント上では他のアンテナから変調シンボルはまったく送信されない。サブフレームフォーマット４２０は、４つのアンテナを備えたｅＮＢに対して使用され得る。ＣＲＳは、シンボル期間０、４、７および１１においてアンテナ０および１から、またシンボル期間１および８においてアンテナ２および３から送信され得る。サブフレームフォーマット４１０および４２０の両方について、ＣＲＳは、セルＩＤに基づいて決定され得る、均等な間隔で配置されたサブキャリアで送信され得る。異なるｅＮＢは、それらのＣＲＳを、それらのセルＩＤに依存して、同じまたは異なるサブキャリアで送信し得る。サブフレームフォーマット４１０および４２０の両方について、ＣＲＳに対して使用されないリソースエレメントは、データ（例えば、トラフィックデータ、制御データ、および／または他のデータ）を送信するために使用され得る。
【００３２】
[0040]  インターレース構造は、ＬＴＥにおけるＦＤＤのためのダウンリンクおよびアップリンクの各々に対して使用され得る。例えば、０〜Ｑ−１のインデックスを有するＱ個のインターレースが定義され得、ここで、Ｑは４、６、８、１０、または他の何らかの値と等しいものであり得る。各インターレースは、Ｑ個のフレームだけ離して配置されたサブフレームを含み得る。具体的には、インターレースｑは、サブフレームｑ、ｑ＋Ｑ、ｑ＋２Ｑなどを含み得、ここで、ｑ∈｛０， ．．． ，Ｑ−１｝である。
【００３３】
[0041]  ワイヤレスネットワークは、ダウンリンクおよびアップリンク上でのデータ送信に関するハイブリッド自動再送要求（ＨＡＲＱ）をサポートし得る。ＨＡＲＱについて、送信機（例えば、ｅＮＢ １１０）は、パケットが受信機（例えば、ＵＥ １２０）によって正確に復号されるか、または何らかの他の終了条件に遭遇するまで、パケットの１つまたは複数の送信を送り得る。同期ＨＡＲＱについて、パケットのすべての送信は、単一のインターレースのサブフレームにおいて送られ得る。非同期ＨＡＲＱについて、パケットの各送信は、任意のサブフレームにおいて送られ得る。
【００３４】
[0042]  ＵＥは、多数のｅＮＢのカバレッジ内に位置し得る。これらのｅＮＢのうちの１つは、ＵＥにサービスするために選択され得る。サービングｅＮＢは、受信信号強度、受信信号品質、パスロスなどのような様々な基準に基づいて選択され得る。受信信号品質は、信号対雑音・干渉比（ＳＩＮＲ）、または基準信号受信品質（ＲＳＲＱ）、または他の何らかのメトリックによって定量化され得る。ＵＥは、ＵＥが１つまたは複数の干渉ｅＮＢから高い干渉を観測し得る支配的な干渉シナリオにおいて動作し得る。
【００３５】
［例となるアップリンクチャネルカバレッジ強化］
[0043]  本開示の態様は、例えば、ダウンリンク送信およびアップリンク送信（例えば、ＲＡＣＨまたはＰＵＳＣＨ送信）のためにフレキシブルな反復モードを使用することによって、強化されたアップリンクチャネルカバレッジを提供するように使用され得る。本明細書で説明される技法は、制限されたアップリンクカバレッジを有し得るデバイスの他のタイプと同様、機械型通信（ＭＴＣ）デバイスのための強化されたアップリンクカバレッジを提供し得る。
【００３６】
[0044]  従来のＬＴＥ設計が主眼とするところは、スペクトル効率性の改善、ユビキタスカバレッジ、強化されたサービス品質（ＱｏＳ）サポートなどに関するものである。現在のＬＴＥシステムのダウンリンク（ＤＬ）およびアップリンク（ＵＬ）リンクバジェットは、大きいＤＬおよびＵＬのリンクバジェットをサポートし得る、最新技術のスマートフォンおよびタブレットのようなハイエンドなデバイスのカバレッジのために設計される。しかしながら、低コストで安価なデバイスも同様に、サポートされる必要性がある。例えば、マシン型通信（ＭＴＣ）について、最大帯域幅が低減され、単一の受信無線周波数（ＲＦ）チェーンが使用され、ピークレートが低減され、送信電力が低減され、また半二重動作が行われ得る。
【００３７】
[0045]  ＬＥＴリリース８では、送信時間インターバル（ＴＴＩ）（サブフレーム）バンドリングがＵＥごとに構成され得る。サブフレームバンドリング動作は、パラメータttiBundlingによって構成され、それは、より上位のレイヤによって提供される。通常、ＴＴＩバンドリングは、基地局に複数のＴＴＩを介してアップリンク共有チャネルにおいてＵＥからのデータを送ることによって行われ、バンドリングは、他のアップリンク信号／トラフィック（例えば、アップリンク制御情報）に適用されない。バンドリングサイズは、４つのＴＴＩ（サブフレーム）で固定され、すなわち、物理アップリンク制御チャネル（ＰＵＳＣＨ）は、４つの連続したサブフレームで送信される。同じハイブリッド自動再送要求（ＨＡＲＱ）プロセスの数は、バンドリングされたサブフレームの各々において使用される。リソース割り当てサイズは、わずか３つのリソースブロック（ＲＢ）に制限される。変調の順序は、２（４位相偏移変調（ＱＰＳＫ））にセットされる。各バンドルは、例えば、単一の許可および単一のＨＡＲＱ肯定応答がバンドルごとに使用される、単一のリソースとして扱われる。
【００３８】
[0046]  ＴＴＩバンドリングは通常、低いレートのトラフィックに使用される。例えば、ボイスオーバインターネットプロトコル（ＶｏＩＰ）パケットが、低いアップリンクリンクバジェットのために、単一のＴＴＩにおいて送信されることができない場合、レイヤ２（Ｌ２）セグメンテーションが適用され得る。例えば、ＶｏＩＰパケットは、４つの連続したＴＴＩで送信される４つの無線リンク制御（ＲＬＣ）プロトコルデータユニット（ＰＤＵ）にセグメント化され得る。２〜３のＨＡＲＱ再送は、十分なカバレッジを達成するようにトリガされる。
【００３９】
[0047]  ＴＴＩバンドリングでは、ＵＥは通常、ｅＮＢからのＨＡＲＱフィードバックを待つことなく、新しいＨＡＲＱの冗長バージョン（ＲＶ：redundancy versions）を送信し、それは、早期終了利得の潜在的なコストにも関わらず、遅延性能を改善し得る。
【００４０】
[0048]  固定されたＴＴＩバンドリンクモードは、いくつかの制限を有する。例えば、ＴＴＩバンドリングは、固定のＨＡＲＱタイムライン（rigid HARQ timeline）を含み得る。４つのＴＴＩの固定されたサイズのみがバンドリングされ得るため、ＴＴＩバンドリングは、リソース割り当てのための柔軟性を欠き得る。これはＡＣＫが、最終的なバンドリングされた送信より前の送信のために受信されるかどうかに関わらず、固定されたＴＴＩバンドリングモードが予め定められた数の送信を送信するためである。ＵＥ側では、ＴＴＩバンドリングは、全てのＰＵＳＣＨ送信のバンドリングを伴い得る。
【００４１】
[0049]  本開示の態様は、ＬＴＥアップリンクカバレッジ強化を提供するために実装され得る反復モードを提供する。特定の態様によると、反復モードは、フレキシブルな数のＴＴＩがＵＥカバレッジ要求に基づいてバンドリングされることを可能にし得、早期終了をさらに活かし得る。このような反復モードは、規格に比較的小さな影響を及ぼし得、いくつかの場合には、周波数分割複信（ＦＤＤ）および時分割複信（ＴＤＤ）通信の両方について実装され得る。
【００４２】
[0050]  図５は、本開示の特定の態様に従った、例えばユーザ機器（ＵＥ）によって行われ得るオポチュニスティックな再送信のための、例となる動作５００を図示する。動作５００は、５０２において、第１のハイブリッド自動再送要求（ＨＡＲＱ）プロセスに関連付けられたデータを送信することによって始まる。５０４において、ＵＥは、第１のＨＡＲＱプロセスに属していない少なくとも１つのサブフレーム内のデータをＵＥが再送すべきであることを示すシグナリングを受信する。５０６において、ＵＥは、少なくとも１つのサブフレームにおいてデータを再送する。
【００４３】
[0051]  図６は、本開示の特定の態様に従った、例えば基地局（ＢＳ）によって行われ得る、例となる動作６００またはオポチュニスティックな再送信を図示する。動作６００は、６０２において、第１のＨＡＲＱプロセスにおいてデータを送信するためにＵＥをスケジューリングすることによって始まる。６０４において、基地局は、第１のＨＡＲＱプロセスに属していない少なくとも１つのサブフレーム内のデータを再送するためにＵＥをシグナリングする。
【００４４】
[0052]  例は、ＵＬ ＨＡＲＱ送信のオポチュニスティックな反復に関して説明されるが、当業者は、本明細書で示される技法がＤＬ ＨＡＲＱ送信にも容易に拡大され得ることを理解するだろう。
【００４５】
[0053]  特定の態様では、ＨＡＲＱプロセスの送信を反復するために、使用されていないサブフレームを利用するため、反復はオポチュニスティックであると称され得る。例えば、サブフレームは、他のＨＡＲＱプロセス、ＴＴＩバンドリングプロセス、または任意の他のプロセスに属していない単に使用されていないサブフレームに属し得る。
【００４６】
[0054]  ＨＡＲＱ反復は、同じ（符号化された）データを複数回送信することを含み得る。トランスポートブロック（ＴＢ）、変調およびコーディングスキーム（ＭＣＳ）、並びにバンドリングは、反復された送信において不変であり得る。そのため、データは、さらなる符号化を行うことなく再送され得る。特定の態様では、ＨＡＲＱプロセスが別個に維持され得、各ＨＡＲＱプロセスについて、肯定応答および否定応答（例えば、ＰＨＩＣＨを介する）が別個にシグナリングされ得る。
【００４７】
[0055]  特定の態様では、ＨＡＲＱ反復は、例えばプロセスベースごとに動的にトリガされ得る。反復のために使用されたサブフレームは、予め定められていない可能性があるが、むしろ、例えばＨＡＲＱプロセスの早期終了状態に基づいて、オポチュニスティックに決定され得る。特定の態様では、いずれかの自由なＨＡＲＱプロセスが常にリピータプロセス（repeater process）として使用され得る。
【００４８】
[0056]  オポチュニスティックな反復をサポートするために、ＢＳは、そのプロセスに所属していない１つまたは複数のサブフレームを使用して、第１のＨＡＲＱプロセスに関連付けられたデータを再送すべきであることを示しているシグナリングをＵＥに送り得る。特定の態様では、このようなシグナリングは、ダウンリンク制御情報（ＤＣＩ）を介して提供され得る。例えば、ダウンリンク制御チャネル（例えば、ＰＤＣＣＨ、ＥＤＣＣＨ、または他の制御チャネル）において送信される、修正されたＤＣＩフォーマット０（ＤＣＩ ０）メッセージ（ＤＣＩ ０＊と呼ばれ得る）は、第１のＨＡＲＱプロセスに属していない１つまたは複数のサブフレームを使用して、第１のＨＡＲＱプロセスに関連付けられたデータを再送すべきであることを示すシグナリングをＵＥに提供し得る。いくつかの場合には、オポチュニスティックな再送モードは、イネーブルまたはディセーブルにされ得（例えば、無線リソース制御（ＲＲＣ）シグナリングを介して）、それは、ＤＣＩを第１の方法（再送がイネーブルにされていないとき）において解釈するか、または第２の方法（再送モードがイネーブルにされているとき）において解釈するかをＵＥに示し得る。
【００４９】
[0057]  特定の態様では、シグナリングは、再送するためのサブフレームの指示を明確に提供し得る。他の場合では、シグナリングは、第１のＨＡＲＱプロセス（例えば、ＨＡＲＱプロセス間のマッピングを介する）を用いた少なくとも１つのサブフレームの関連付けに少なくとも部分的に基づいて、再送のための少なくとも１つのサブフレームの指示を明確に提供し得る。
【００５０】
[0058]  特定の態様では、当初のプロセスは、セミパーシステントスケジューリング（ＳＰＳ：semi-persistent scheduling）を介してトリガされ得る。ＵＥは、第１のＨＡＲＱプロセスを用いた送信がＳＰＳトリガされるとき、少なくとも１つのサブフレームにおいてデータを自動的に再送するようにＵＥを構成するＳＰＳ構成が提供されるシグナリングを受信し得る。特定の態様では、ＤＣＩは、ＳＰＳ−ＲＮＴＩ（セミパーシステントスケジューリング−無線ネットワーク一時識別子）に対してアドレスされ得る。
【００５１】
[0059]  図７は、オポチュニスティックなＨＡＲＱ反復プロセスの例となるタイムライン７００を図示する。この例では、ＨＡＲＱプロセス０は当初のプロセスであり、ＨＡＲＱプロセス２は反復されたプロセスである。例えば、ＨＡＲＱプロセス＃２は、当初のプロセス（すなわち、ＨＡＲＱプロセス＃０）の反復であり得る。サブフレーム０では、ＨＡＲＱプロセス＃０がアップリンク送信のために使用されるべきであることを指示する、第１のメッセージがＵＥに送信される。サブフレーム２では、ＵＥは第２のメッセージを受信し、それは、例えば、ＨＡＲＱプロセス＃２がＨＡＲＱプロセス＃０（例えば、サブフレーム７０２と７０４との間の破線で図示されるような）によって行われるアップリンク送信を反復するために使用されるべきであることを指示する、修正されたＤＣＩメッセージであり得る。当初のプロセス（ＨＡＲＱプロセス＃０）は、サブフレーム７０２においてアップリンク送信を行い得、反復されたプロセス（ＨＡＲＱプロセス＃２）は、サブフレーム７０４においてアップリンク送信を行い得、それは、サブフレーム７０２におけるアップリンク送信の反復であり得る。サブフレーム８では、フィードバックが当初のプロセスのために送信され得、サブフレーム１０では、フィードバックは反復されたプロセスのために送信され得る。ダウンリンクサブフレーム８および１０において送信されるフィードバックに基づいて、再送は、行われる必要がない可能性がある（例えば、当初のおよび反復されたプロセスからの送信の１つまたは両方が、成功裏に受信される場合）か、または当初のおよび反復されたプロセス（例えば、サブフレーム７０６または７０８の１つまたは両方における）の１つまたは両方によって行われ得る。例えば、ＨＡＲＱ再送はサブフレーム７０６および７０８における当初のおよび反復されたプロセスの両方で行われ得る一方、ＮＡＫは、反復されたプロセスによって作成される送信のために受信される。特定の態様では、個々のＡＣＫは、プロセスを別個で一時停止するために使用され得るが、どのようにＡＣＫ／ＮＡＣＫが扱われるかは、異なる実装によって変化し得る。
【００５２】
[0060]  例えば、例となるタイムライン８００を図示する図８で示されるように、いくつかの場合には、データは、ＡＣＫまたはＮＡＫが当初のプロセスのために送信されるかどうかに関わらず、反復されたプロセスのためにＮＡＫが送信されるときに、当初のおよび反復されたプロセス（それぞれ、ＨＡＲＱプロセス＃０および＃２）の両方で再送され得る。図示されるように、ＡＣＫまたはＮＡＫはダウンリンクサブフレーム８で送信され、ＮＡＫはダウンリンクサブフレーム１０で送信される。ダウンリンクサブフレーム１０で送信されたＮＡＫは、アップリンク上で、当初のおよび反復されたプロセスに、それぞれサブフレーム７０６および７０８において再送を行わせ得る。
【００５３】
[0061]  例となるタイムライン９００を図示する図９で示されるように、いくつかの場合には、反復されたプロセスは、一度だけ送信され得る（例えば、反復された処理のために、ＰＨＩＣＨはトリガされ得ない）。当初のプロセス（ＨＡＲＱプロセス＃０）および反復されたプロセス（ＨＡＲＱプロセス＃２）は、アップリンク上でデータを送信し得、また、反復されたプロセスのためにダウンリンクサブフレーム１０においてフィードバック（例えば、ＡＣＫまたはＮＡＫを搬送するＰＨＩＣＨ）をトリガしないが、当初のプロセスのためのダウンリンクサブフレーム８においてフィードバックをトリガする。図示されるように、ＮＡＫは、ダウンリンクサブフレーム８において送信され、それは当初のプロセスによってサブフレーム７０６において再送をトリガし得る。反復されたプロセスのためにフィードバックが送信されないため、反復されたプロセスは、当初のプロセスによって行われる再送を反復する必要がなく、そのため、他のデータ送信のために使用される反復されたプロセスを可能にする。
【００５４】
[0062]  図１０で図示されるように、いくつかの場合には、再送はさらに、反復されたプロセス（ＨＡＲＱプロセス＃２）でのみ送信され得、それは、当初のプロセス（ＨＡＲＱプロセス＃０）のためにリソースを解放し得る。例となるタイムライン１０００で図示されるように、フィードバックは、反復されたプロセスで行われる送信のためにサブフレーム１０で生成され得るが、当初のプロセスで行われる送信のためにサブフレーム８で生成される必要はない。サブフレーム１０で送信されたＮＡＫに応答して、反復されたプロセスは再送を行い得（例えば、サブフレーム７０８において）、当初のプロセスに割り当てられたサブフレーム７０６は、他のデータ送信のために使用され得る。
【００５５】
[0063]  特定の態様では、ＨＡＲＱ送信カウンタは、当初のおよび反復プロセスの両方のために実装され得る。特定の態様では、当初のおよび反復プロセスのためのカウンタは、別個に維持され得る。例えば、当初のプロセスがカウンタ０で開始する場合、０のカウンタ値を用いた反復プロセスは、当初のプロセスのカウンタ値ｎで開始し得る。ＡＣＫの受信において、ＡＣＫを受信するプロセスは、０でそのカウンタを再開し得る。特定の態様では、当初のおよび反復プロセスのためのカウンタは、同期され得る。例えば、当初のカウンタ位置がｎであるときに反復プロセスが開始する場合、反復プロセスのためのカウンタは、ｎの値に初期化される。ＡＣＫが受信されるとき、両方のカウンタがリセットされ得る。
【００５６】
[0064]  図１１は、オポチュニスティックな反復のために使用され得るサブフレームを示す、無線フレーム１１００のセットを図示する。図示される例がＴＤＤ構成０（ＤＳＵＵＵ−ＤＳＵＵＵ）と仮定すると、それは、３つのＴＴＩバンドリングプロセス（４のバンドリングサイズを有する）までをサポートすることができ、全てのサブフレームがＨＡＲＱ（またはＴＴＩバンドリング）プロセスに割り当てられるわけではない。例えば、無線フレーム２においてサブフレーム６および７は、使用されていないサブフレーム１１０２であり、そのため、オポチュニスティックな再送（例えば、ＨＡＲＱプロセス１、２、または３のうちの１つによって）のために使用され得る。
【００５７】
[0065]  前述された方法の様々な動作は、対応する機能を実行することができる任意の適切な手段によって実行され得る。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含み得る。概して、図に例示された動作が存在する場合、これら動作は、任意の適切な対応するミーンズプラス機能コンポーネントによって実行され得る。
【００５８】
[0066]  開示された処理におけるステップの具体的な順序または階層は、典型的なアプローチの例であることが理解される。設計の選好に基づいて、これら処理におけるステップの具体的な順序または階層は、本開示の範囲内にとどまりながら再構成され得ることが理解される。添付の方法の請求項は、様々なステップの要素をサンプルの順序で示したものであり、示された特定の順序または階層に限定されることが意図されるものではない。
【００５９】
[0067]  当業者は、情報および信号が様々な異なる技術および技法のうちの任意のものを用いて表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの組み合わせによって表され得る。
【００６０】
[0068]  当業者はさらに、本明細書の開示に関連して説明される様々な実例となる論理ブロック、モジュール、回路、およびアルゴリズムステップが、電子ハードウェア、ソフトウェア／ファームウェア、または両方の組み合わせとして実装され得ることを理解するだろう。ハードウェアおよびソフトウェアのこの互換性を明確に例示するために、様々な実例となるコンポーネント、ブロック、モジュール、回路、およびステップが、概してそれらの機能の観点から上記で説明されている。このような機能が、ハードウェアとして実装されるかソフトウェア／ファームウェアとして実装されるかは、特定のアプリケーションおよびシステム全体に課せられる設計制約に依存する。当業者は、各々の特定のアプリケーションに関して、様々な方法で説明された機能を実装し得るが、このような実装の決定は、本開示の範囲からの逸脱を引き起こしていると解釈されるべきではない。
【００６１】
[0069]  本明細書の開示に関連して説明された様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理回路（ＰＤＬ）、ディスクリートゲートまたはトランジスタロジック、ディスクリートハードウェアコンポーネント、あるいは、本明細書で説明された機能を実行するように設計されたいずれかの組み合わせで実装または実行され得る。汎用プロセッサはマイクロプロセッサであり得るが、代替として、このプロセッサは、任意の従来のプロセッサ、コントローラ、マイクロコントローラ、またはステートマシンであり得る。プロセッサはまた、例えば、ＤＳＰ、１つのマクロプロセッサ、複数のマイクロプロセッサ、ＤＳＰコアに結合した１つまたは複数のマイクロプロセッサ、または他のこのような構成の組み合わせといった、コンピューティングデバイスの組み合わせとしても実装され得る。
【００６２】
[0070]  本明細書の開示に関連して説明されたアルゴリズムまたは方法のステップは、直接的にハードウェアで、プロセッサによって実行されるソフトウェア／ファームウェアモジュールで、または両者の組み合わせで具現化され得る。ソフトウェア／ファームウェアモジュールは、ＲＡＭメモリ、フラッシュメモリ、ＰＣＭ（フレーズ変更メモリ）、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られているその他の形態の記憶媒体に存在し得る。例示的な記憶媒体は、プロセッサがこの記憶媒体から情報を読み取り、またこの記憶媒体に情報を書き込むことができるように、プロセッサに結合される。代替的に、記憶媒体はプロセッサに統合され得る。プロセッサおよび記憶媒体はＡＳＩＣに存在し得る。ＡＳＩＣは、ユーザ端末内に存在し得る。代替的に、プロセッサおよび記憶媒体は、ユーザ端末内に個別の構成要素として存在し得る。
【００６３】
[0071]  １つまたは複数の例示的な設計において、説明された機能は、ハードウェア、ソフトウェア、ファームウェア、またはそれらの組み合わせで実装され得る。ソフトウェアで実装される場合、これら機能は、コンピュータ読取可能媒体上で、１つまたは複数の命令またはコードとして送信または記憶され得る。コンピュータ読取可能媒体は、ある場所から別の場所へのコンピュータプログラムの転送を容易にする任意の媒体を含む通信媒体とコンピュータ記憶媒体との両方を含む。記憶媒体は、汎用または専用コンピュータによってアクセスされ得る任意の利用可能な媒体であり得る。限定ではなく例として、そのようなコンピュータ読取可能な媒体は、ＲＡＭ、ＲＯＭ、ＥＥＰＲＯＭ、ＣＤ／ＤＶＤまたは他の光学ディスク記憶装置、磁気ディスク記憶装置または他の磁気記憶デバイス、あるいは、汎用または専用コンピュータ、あるいは汎用または専用プロセッサによってアクセスされることができ、命令またはデータ構造形の形式で所望のプログラムコード手段を搬送または記憶するために使用され得る任意の他の媒体を備え得る。また、任意の接続は、コンピュータ読み取り可能な媒体と厳密には称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される際、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここで、ディスク（disks）が通常磁気的にデータを再生する一方、ディスク（discs）は、レーザーを用いて光学的にデータを再生する。よって、いくつかの態様において、コンピュータ読取可能な媒体は、非一時的なコンピュータ読取可能な媒体（例えば、有形媒体）を備え得る。さらに、他の態様では、コンピュータ読取可能な媒体は、一時的なコンピュータ読取可能な媒体（例えば、信号）を備え得る。上記の組み合わせもまた、コンピュータ読取可能な媒体の範囲内に含まれるべきである。
【００６４】
[0072]  本明細書で使用される際、項目のリスト「〜のうちの少なくとも１つ」というフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに、任意の数のａ、ｂ、またはｃの任意の組み合わせをカバーすることが意図される。
【００６５】
[0073]  本開示の先の説明は、当業者が本開示を実行または使用することを可能にするために提供される。本開示に対する様々な変更は、当業者には容易に明らかであり、本明細書で定義された包括的な原理は、本開示の精神または範囲から逸脱することなく他のバリエーションに適用され得る。よって、本開示は、本明細書で説明される例および設計に限定されることが意図されるものではなく、本明細書で開示される原理および新規の特徴と一致する最も広い範囲が付与されるべきものである。
以下に、本願出願の当初の特許請求の範囲に記載された発明を付記する。
［Ｃ１］
ユーザ機器（ＵＥ）によるワイヤレス通信のための方法であって、
第１のＨＡＲＱ（ハイブリッド自動再送要求）プロセスに関連付けられたデータを送信することと、
前記第１のＨＡＲＱプロセスに属していない少なくとも１つのサブフレーム内の前記データを前記ＵＥが再送すべきであることを示すシグナリングを受信することと、
前記少なくとも１つのサブフレームにおいて前記データを再送することと
を備える、方法。
［Ｃ２］
前記少なくとも１つのサブフレームは、少なくとも第２のＨＡＲＱプロセスに属している、Ｃ１に記載の方法。
［Ｃ３］
前記シグナリングは、ダウンリンク制御情報（ＤＣＩ）を介して提供される、Ｃ１に記載の方法。
［Ｃ４］
前記ＤＣＩにおける情報は、前記ＵＥの再送モードがイネーブルにされていないとき、第１の方法で解釈され、
前記ＤＣＩにおける情報は、前記ＵＥの前記再送モードがイネーブルにされているとき、第２の方法で解釈される、
Ｃ３に記載の方法。
［Ｃ５］
前記第１のＨＡＲＱプロセスに関連付けられた前記データを送信することは、セミパーシステントスケジューリング（ＳＰＳ）によってトリガされ、
前記シグナリングは、前記第１のＨＡＲＱプロセスを用いた送信がトリガされるとき、前記少なくとも１つのサブフレーム内の前記データを自動的に再送するように前記ＵＥを構成するＳＰＳ構成が提供される、
Ｃ１に記載の方法。
［Ｃ６］
前記シグナリングは、前記少なくとも１つのサブフレームの指示を提供する、Ｃ１に記載の方法。
［Ｃ７］
前記第１および第２のＨＡＲＱプロセスの両方ではなく１つに関してＨＡＲＱ再送を行うこと
をさらに備える、Ｃ２に記載の方法。
［Ｃ８］
基地局（ＢＳ）によるワイヤレス通信のための方法であって、
第１のＨＡＲＱ（ハイブリッド自動再送要求）プロセスにおけるデータを送信するためにＵＥをスケジューリングすることと、
前記第１のＨＡＲＱプロセスに属していない少なくとも１つのサブフレーム内の前記データを再送するために前記ＵＥをシグナリングすることと、
を備える、方法。
［Ｃ９］
前記少なくとも１つのサブフレームは、少なくとも第２のＨＡＲＱプロセスに属している、Ｃ８に記載の方法。
［Ｃ１０］
前記シグナリングは、ダウンリンク制御情報（ＤＣＩ）を介して提供される、Ｃ８に記載の方法。
［Ｃ１１］
前記ＤＣＩにおける情報は、前記ＵＥの再送モードがイネーブルにされていないとき、第１の意味を有し、
前記ＤＣＩにおける情報は、前記ＵＥの前記再送モードがイネーブルにされているとき、第２の意味を有する、
Ｃ１０に記載の方法。
［Ｃ１２］
前記シグナリングは、前記第１のＨＡＲＱプロセスを用いた送信がトリガされるとき、前記少なくとも１つのサブフレーム内の前記データを自動的に再送するように前記ＵＥを構成するＳＰＳ構成が提供される、
Ｃ８に記載の方法。
［Ｃ１３］
前記シグナリングは、前記少なくとも１つのサブフレームの指示を提供する、Ｃ８に記載の方法。
［Ｃ１４］
前記第１および第２のＨＡＲＱプロセスの両方ではなく１つに関して前記ＵＥからのＨＡＲＱ再送を受信すること
をさらに備える、Ｃ９に記載の方法。
［Ｃ１５］
ユーザ機器（ＵＥ）によるワイヤレス通信のための装置であって、
第１のハイブリッド自動再送要求（ＨＡＲＱ）プロセスに関連付けられたデータを送信するように、および前記第１のＨＡＲＱプロセスに属していない前記少なくとも１つのサブフレームにおける前記データを再送するように構成された送信機と、
前記少なくとも１つのサブフレーム内の前記データを前記ＵＥが再送すべきであることを示すシグナリングを受信するように構成された受信機と、
を備える、装置。
［Ｃ１６］
前記ＵＥが前記データを再送すべきであることを示すシグナリングを前記受信機が受信する前記少なくとも１つのサブフレームは、少なくとも第２のＨＡＲＱプロセスに属している、Ｃ１５に記載の装置。
［Ｃ１７］
前記受信機は、ダウンリンク制御情報（ＤＣＩ）を介して前記シグナリングを受信する、Ｃ１５に記載の装置。
［Ｃ１８］
前記ＤＣＩにおける情報は、前記ＵＥの再送モードがイネーブルにされていないとき、第１の方法で解釈され、
前記ＤＣＩにおける情報は、前記ＵＥの前記再送モードがイネーブルにされているとき、第２の方法で解釈される、
Ｃ１７に記載の装置。
［Ｃ１９］
前記送信機は、セミパーシステントスケジューリング（ＳＰＳ）による前記第１のＨＡＲＱプロセスに関連付けられた前記データを送信するようにトリガされ、
前記シグナリングは、前記第１のＨＡＲＱプロセスを用いた送信がトリガされるとき、前記少なくとも１つのサブフレームにおいて前記データを自動的に再送するように前記ＵＥを構成するＳＰＳ構成が提供される、
Ｃ１５に記載の装置。
［Ｃ２０］
前記シグナリングは、前記少なくとも１つのサブフレームの指示を提供する、Ｃ１５に記載の装置。
［Ｃ２１］
前記送信機は、前記第１および第２のＨＡＲＱプロセスの両方ではなく１つに関してＨＡＲＱ再送を行うように構成される、Ｃ１６に記載の装置。
［Ｃ２２］
基地局（ＢＳ）によるワイヤレス通信のための装置であって、
第１のハイブリッド自動再送要求（ＨＡＲＱ）プロセスにおけるデータを送信するために前記ＵＥをスケジューリングするように構成されたスケジューリングユニットと、
前記第１のＨＡＲＱプロセスに属していない少なくとも１つのサブフレーム内の前記データを再送するために前記ＵＥをシグナリングするように構成された送信機と
を備える、装置。
［Ｃ２３］
前記少なくとも１つのサブフレームは、少なくとも第２のＨＡＲＱプロセスに属している、Ｃ２２に記載の装置。
［Ｃ２４］
前記送信機は、ダウンリンク制御情報（ＤＣＩ）を介して前記データを再送するように前記ＵＥをシグナリングする、Ｃ２２に記載の装置。
［Ｃ２５］
前記ＤＣＩにおける情報は、前記ＵＥの再送モードがイネーブルにされていないとき、第１の意味を有し、
前記ＤＣＩにおける情報は、前記ＵＥの前記再送モードがイネーブルにされているとき、第２の意味を有する、
Ｃ２４に記載の装置。
［Ｃ２６］
前記送信機は、前記第１のＨＡＲＱプロセスを用いた送信がトリガされるとき、前記少なくとも１つのサブフレーム内の前記データを自動的に再送するように前記ＵＥを構成するＳＰＳ構成および前記データを再送するために前記ＵＥをシグナリングする、Ｃ２２に記載の装置。
［Ｃ２７］
前記シグナリングは、前記少なくとも１つのサブフレームの指示を提供する、Ｃ２２に記載の装置。
［Ｃ２８］
ＨＡＲＱ再送は、前記第１および第２のＨＡＲＱプロセスの両方ではなく１つに関して前記ＵＥから受信される、Ｃ２３に記載の装置。
【図１】
0006529965.tif 000002
【図２】
0006529965.tif 000003
【図３】
0006529965.tif 000004
【図４】
0006529965.tif 000005
【図５】
0006529965.tif 000006
【図６】
0006529965.tif 000007
【図７】
0006529965.tif 000008
【図８】
0006529965.tif 000009
【図９】
0006529965.tif 000010
【図１０】
0006529965.tif 000011
【図１１】
0006529965.tif 000012